(57)【要約】【課題】長期スパンにおける患者の容態変化を迅速かつ容易に確認することができる生体情報モニタおよび生体情報モニタシステムを提供する。【解決手段】被検者から取得された生体情報が表示される生体情報表示画面２１と、選択された生体情報のトレンドグラフが表示される生体情報表示画面２１に設けられた第１の表示領域２２と、選択された生体情報のヒストグラムが表示される生体情報表示画面２１に設けられた第２の表示領域２３と、生体情報表示画面２１に表示される生体情報の内容を制御する表示制御部１３とを備え、表示制御部１３は、トレンドグラフとヒストグラムとを、第１の表示領域２２と第２の表示領域２３とにそれぞれ同時に複数日分表示する。【選択図】図１
2014150845.tif 000002
【特許請求の範囲】
【請求項１】
被検者から取得された生体情報が表示される生体情報表示画面と、
前記生体情報の中から選択された生体情報のトレンドグラフが表示される前記生体情報表示画面に設けられた第１の表示領域と、
前記生体情報の中から選択された生体情報のヒストグラムが表示される前記生体情報表示画面に設けられた第２の表示領域と、
前記生体情報表示画面に表示される生体情報の内容を制御する表示制御部と、
を備え、
前記表示制御部は、前記トレンドグラフと前記ヒストグラムとを前記第１の表示領域と第２の表示領域とにそれぞれ同時に複数日分表示することを特徴とする生体情報モニタ。
【請求項２】
前記トレンドグラフとして表示される生体情報と前記ヒストグラムとして表示される生体情報とは、同じ生体情報であることを特徴とする請求項１に記載の生体情報モニタ。
【請求項３】
前記トレンドグラフとして表示される生体情報と前記ヒストグラムとして表示される生体情報とは、異なる生体情報であることを特徴とする請求項１に記載の生体情報モニタ。
【請求項４】
前記請求項１から３の何れか一項に記載された生体情報モニタの複数台と、これらの生体情報モニタを集中管理するセントラルモニタとが互いにネットワークを介して接続されている生体情報モニタシステムであって、
前記セントラルモニタには、前記生体情報モニタに表示されるトレンドグラフとヒストグラムが、前記ネットワークを介して、前記生体情報モニタと同じ表示態様で表示されることを特徴とする生体情報モニタシステム。
【発明の詳細な説明】
【技術分野】
【０００１】
本発明は、被検者から取得した生体情報を表示するための生体情報モニタおよび生体情報モニタシステムに関するものである。
【背景技術】
【０００２】
従来から、取得した被検者の生体情報を表示画面上に表示する装置についてはさまざまな表示態様のものが数多く提案されている。例えば、取得した複数種類の生体情報に関するトレンドデータを表示させたり、予め設定した数時間分の生体情報を解析しそのデータをヒストグラムとして表示させるモニタ装置がある。
【０００３】
また、下記特許文献１には、呼吸情報と心電図情報とを同一ページに記録するように出力し、同一時間スケールで縦に並べることで両情報の相関を把握することが可能な生体情報記録装置が開示されている。
【先行技術文献】
【特許文献】
【０００４】
【特許文献１】特開２００３−０００５５９号公報
【発明の概要】
【発明が解決しようとする課題】
【０００５】
しかしながら、特許文献１に開示された生体情報記録装置では、呼吸情報や心電図情報の表示を数十分から数時間の単位で行っているため、長期スパンでの患者の容態変化を把握することができず、患者が回復に向かっているのか、現状を維持したままなのか、悪化しているのかを迅速に確認することは困難であった。
【０００６】
そこで、本発明は、長期スパンにおける患者の容態変化を迅速かつ容易に確認することができる生体情報モニタおよび生体情報モニタシステムの提供を目的とする。
【課題を解決するための手段】
【０００７】
上記課題を解決するために、本発明の生体情報モニタは、被検者から取得された生体情報が表示される生体情報表示画面と、前記生体情報の中から選択された生体情報のトレンドグラフが表示される前記生体情報表示画面に設けられた第１の表示領域と、前記生体情報の中から選択された生体情報のヒストグラムが表示される前記生体情報表示画面に設けられた第２の表示領域と、前記生体情報表示画面に表示される生体情報の内容を制御する表示制御部と、を備え、前記表示制御部は、前記トレンドグラフと前記ヒストグラムとを前記第１の表示領域と第２の表示領域とにそれぞれ同時に複数日分表示することを特徴とするものである。
【０００８】
また、本発明の生体情報モニタにおいて、前記トレンドグラフとして表示される生体情報と前記ヒストグラムとして表示される生体情報とは、同じ生体情報であることが好ましい。
【０００９】
また、本発明の生体情報モニタにおいて、前記トレンドグラフとして表示される生体情報と前記ヒストグラムとして表示される生体情報とは、異なる生体情報であることが好ましい。
【００１０】
また、本発明の生体情報モニタシステムは、生体情報モニタの複数台と、これらの生体情報モニタを集中管理するセントラルモニタとが互いにネットワークを介して接続されている生体情報モニタシステムであって、前記セントラルモニタには、前記生体情報モニタに表示されるトレンドグラフとヒストグラムが、前記ネットワークを介して、前記生体情報モニタと同じ表示態様で表示されることを特徴とするものである。
【発明の効果】
【００１１】
本発明の生体情報モニタおよび生体情報モニタシステムによれば、生体情報のバラツキを表すトレンドグラフと最頻値を表すヒストグラムとが同時に複数日分表示されるので、患者の容態変化を迅速かつ容易に確認することができる。
【図面の簡単な説明】
【００１２】
【図１】本発明に係る生体情報モニタの構成を示すブロック図である。
【図２】生体情報モニタの表示画面に表示されるトレンドグラフとヒストグラムの一例を示す図である。
【図３】生体情報モニタの表示画面に表示されるトレンドグラフとヒストグラムの変形例を示す図である。
【図４】本発明に係る生体情報モニタシステムの構成を示す図である。
【発明を実施するための形態】
【００１３】
以下、本発明に係る生体情報モニタおよび生体情報モニタシステムの実施形態の一例を添付図面に基づいて説明する。
【００１４】
図１は、生体情報モニタ１の構成を示す図である。生体情報モニタ１は、被検者（患者）から取得した生体情報を演算しその処理結果を表示する装置である。生体情報モニタ１は、患者毎に設置される、いわゆるベッドサイドモニタとして、あるいはネットワーク接続された複数のベッドサイドモニタを管理するセントラルモニタとして用いることができる。
【００１５】
生体情報モニタ１には、心電図、心拍数（脈拍数）、血圧値、動脈血酸素飽和度、経皮的酸素飽和度、吸引酸素濃度、呼吸、体温等の生体情報を取得するための生体情報取得手段２が接続される。具体的な生体情報取得手段２としては、例えば図１に示すように、心電計、血圧計、ＳｐＯ２プローブ、呼吸計、体温計等の各機器（センサ）を挙げることができる。これら生体情報取得手段２が被検者に装着され、生体情報取得手段２によって取得された生体情報が生体情報モニタ１に入力される。
【００１６】
生体情報モニタ１は、当該モニタの動作を制御する制御部１０と、測定した生体情報を表示する表示部２０と、生体情報に関する操作信号を外部から入力するための入力操作部３０を備えている。生体情報取得手段２によって取得された生体情報は、生体情報モニタ１の制御部１０に入力される。
【００１７】
制御部１０は、生体情報取得手段２および入力操作部３０から入力される情報に基づいて生体情報モニタ１の各部の動作を制御するものであり、その主構成部としてＣＰＵ（Central Processing Unit）１１を有している。また、制御部１０は、生体情報取得手段２によって取得された生体情報を記憶するための記憶部１６を有している。
【００１８】
ＣＰＵ１１は、ＲＯＭ１４に記憶されたプログラムに従って各種の数値計算、情報処理等を行ない、生体情報モニタ１の動作制御を実行している。また、ＣＰＵ１１は、ＲＡＭ１５を各種データの格納領域として使用している。
【００１９】
ＣＰＵ１１は、演算処理部１２と、表示制御部１３を備えている。ＣＰＵ１１は、これら演算処理部１２および表示制御部１３として機能し、数値計算や情報処理、および画面表示の制御等を行なう。
【００２０】
演算処理部１２は、生体情報取得手段２によって取得された生体情報の信号を解析し演算処理を行なう。具体的には、演算処理部１２は、取得された各生体情報を演算処理して生体情報の経時的な変化を表すデータ（トレンドデータ）を作成する。また、演算処理部１２は、取得された各生体情報を統計的に処理してその度数分布を表す積分値（ヒストグラムデータ）を作成する。なお、トレンドデータとしては、例えば、心電波形、脈拍波形、ＳｐＯ２（酸素飽和度）波形、および呼吸流量波形等の波形データを挙げることができる。そして、ヒストグラムデータとしては、これらの波形データを基にして作成された度数分布を表すデータを挙げることができる。
【００２１】
トレンドデータおよびヒストグラムデータは、演算処理部１２によって、日毎に（日単位で）作成される。すなわち、トレンドデータおよびヒストグラムデータは、連続する２４時間分の測定データを一単位として作成される。また、日毎に作成されるこれらのデータは、複数日分連続して作成される。例えば、少なくとも２日以上であり、１週間、２週間等が好ましい。演算処理部１２によって作成されたこれらのトレンドデータおよびヒストグラムデータは、記憶部１６に記憶される。
【００２２】
表示制御部１３は、生体情報取得手段２によって取得された生体情報、あるいは演算処理部１２によって作成されたトレンドデータやヒストグラムデータ等を表示部２０に表示させる制御部である。表示制御部１３は、トレンドデータやヒストグラムデータ等を記憶部１６から読み出して表示部２０に表示させる。表示制御部１３は表示内容を制御するための制御信号を表示部２０に送信している。トレンドデータはトレンドグラフとして表示部２０に表示され、ヒストグラムデータはヒストグラムとして表示部２０に表示される。また、トレンドグラフおよびヒストグラムは、上記のように作成された日毎のデータに基づいて、日毎に複数日（例えば、少なくとも２日以上であり、１週間、２週間等が好ましい。）分表示される。
【００２３】
また、表示制御部１３は、入力操作部３０を介して外部から入力される指示（選択）にしたがって、指示された内容の情報を記憶部１６から読み出し表示部２０に表示させる制御を行なっている。
【００２４】
記憶部１６は、ＣＰＵ１１の制御に基づいて、取得された生体情報のデータあるいはその解析データを記憶している。すなわち、記憶部１６は、生体情報取得手段２によって取得された生体情報をそのままのデータとして、あるいは演算処理部１２によって作成されたトレンドデータやヒストグラムデータとして記憶する。記憶部１６は、これらの各データを日毎に記憶する。また、日毎の各データを、複数日（例えば、少なくとも２日以上であり、１週間、２週間等が好ましい。）分連続して記憶する。さらに、記憶部１６は、被検者の個別データ、例えば、名前、性別、年齢、測定開始日（入院日時）等を記憶している。なお、記憶部１６としては、例えば、ＤＶＤ等のディスクや、メモリカード等のような半導体メモリを用いることができる。
【００２５】
表示部２０は、表示制御部１３から送信されてくる制御信号に基づいて、測定された生体情報を表示する。表示部２０は、例えば、ＬＣＤ、有機ＥＬパネル等から構成することができ、生体情報を表示するための生体情報表示画面２１を備えている。そして、生体情報表示画面２１には、生体情報のトレンドグラフを表示するための第１の表示領域２２と、生体情報のヒストグラムを表示するための第２の表示領域２３が設けられている。
【００２６】
生体情報表示画面２１は、測定された複数種類の生体情報を表示することが可能であり、生体情報表示画面２１にはトレンドグラフを表示するための表示領域と、ヒストグラムを表示するための表示領域が、それぞれ複数設けられている。また、入力操作部３０を介した外部指定により、トレンドグラフの表示領域とヒストグラムの表示領域の位置を変更することもできるように構成されている。
【００２７】
入力操作部３０は、キーボード、マウス、あるいはタッチパネル等により構成される。入力操作部３０は、制御部１０に接続されており、外部から（医療従事者）の入力操作に基づいて、生体情報表示画面２１に表示される生体情報を指定するための操作信号を制御部１０に送信する。具体的には、生体情報表示画面２１に表示される生体情報の選択、トレンドグラフとして第１の表示領域２２に表示される生体情報の選択、ヒストグラムとして第２の表示領域２３に表示される生体情報の選択等を行うことができる。
【００２８】
測定された生体情報の中から医療従事者によって選択された生体情報のトレンドグラフが第１の表示領域２２に表示され、また選択された生体情報のヒストグラムが第２の表示領域２３に同時に表示される。
【００２９】
次に、図２、図３に基づいて、表示部２０の生体情報表示画面２１に表示される生体情報について説明する。
【００３０】
図２は、生体情報のトレンドグラフとそのヒストグラムの一例を表す図であり、トレンドグラフとして表示される生体情報とヒストグラムとして表示される生体情報とが、同じ生体情報である場合を表示している。
【００３１】
図２に示すように、生体情報表示画面２１を上下４段の表示領域２２ａ、２２ｂ、２３ａ、２３ｂに分割し、上２段の表示領域２２ａ、２２ｂには生体情報のトレンドグラフが表示され、下２段の表示領域２３ａ、２３ｂには生体情報のヒストグラムが表示されている。トレンドグラフが表示されている上２段の表示領域２２ａ、２２ｂが、図１で説明した第１の表示領域２２に相当し、ヒストグラムが表示されている下２段の表示領域２３ａ、２３ｂが、第２の表示領域２３に相当する。なお、分割する表示領域の段数は４段に限定されるものではない。
【００３２】
生体情報としては、この実施例では、ＨＲ（心拍数）とＳｐＯ２（酸素飽和度）が選択されている。そして、ＨＲのトレンドグラフが表示領域２２ａに表示され、ＨＲのヒストグラムが表示領域２３ａに表示されている。また、ＳｐＯ２のトレンドグラフが表示領域２２ｂに表示され、ＳｐＯ２のヒストグラムが表示領域２３ｂに表示されている。トレンドグラフからは、ＨＲとＳｐＯ２のバラツキおよび急激な変化の発生を確実に検出することができる。また、ヒストグラムからは、測定した１日の間に値がどの程度で経過しているのか、およびその生体情報の最頻値を迅速かつ容易に判定することができる。最頻値を確認することで被検者の容態変化を判断することができる。
【００３３】
各表示領域２２ａ、２２ｂ、２３ａ、２３ｂには、日毎に（日単位で）測定された生体情報のトレンドグラフまたはヒストグラムが、複数日分連続して表示されている。具体的には、2012/09/01から2012/09/07までの１週間に、日毎（00:00から24:00）に測定された心拍数と酸素飽和度のトレンドグラフとヒストグラムが、同じ日毎のスパンで表示されている。１週間の表示日（2012/09/01から2012/09/07まで）は変更可能であり、例えば、生体情報表示画面２１上に表示された先送りボタン４１または後戻りボタン４２を押す（タッチする）ことにより表示日を先または後に変更することができる。
【００３４】
また、生体情報の表示期間（表示日数）は、入力操作部３０を介して外部から設定・変更可能である。例えば、生体情報表示画面２１上に表示された期間設定ボタン４３を押すことにより表示期間の選択候補（１日、１週間、２週間等）が表示され、何れかの選択候補を指定することにより表示期間を指定した期間に変更することができる。この例では、表示期間が変更された場合には、トレンドグラフとヒストグラムの表示期間は同時に変更後の表示期間に設定される。すなわち、トレンドグラフとヒストグラムの表示スパンは対比可能に常時同じスパンで表示される。
【００３５】
また、生体情報表示画面２１上に表示される生体情報の種類は、入力操作部３０を介して外部から設定・変更可能である。例えば、生体情報表示画面２１上に表示されたパラメータボタン４４を押すことにより生体情報の選択候補（血圧値、呼吸数等）が表示され、何れかの選択候補を指定することにより指定した生体情報に変更することができる。
【００３６】
また、生体情報表示画面２１上に表示される生体情報の表示態様（トレンドグラフまたはヒストグラムの表示）は、入力操作部３０を介して外部から設定・変更可能である。例えば、生体情報表示画面２１上に表示されたトレンドヒストグラムボタン４５を押すことにより、生体情報表示画面２１に表示される生体情報の表示態様をトレンドグラフからヒストグラムに（またはトレンドグラフからヒストグラムに）変更することができる。
【００３７】
また、生体情報表示画面２１上に表示される生体情報の被検者を、入力操作部３０を介して外部から変更可能である。例えば、生体情報表示画面２１上に表示された患者一覧ボタン４６を押すと、被検者名の一覧が表示され、何れかの被検者名を指定することにより指定した被検者の生体情報を生体情報表示画面２１上に表示することができる。指定された被検者名は、被検者名表示領域４７に表示される。なお、被検者名に対応して付与されているＩＤが識別符号領域４８に表示される。
【００３８】
図３は変形例を表す図であり、トレンドグラフとして表示される生体情報とヒストグラムとして表示される生体情報が、相違する生体情報である点で、図２に示した例と相違している。図３に示す変形例では、異なる生体情報のトレンドグラフとヒストグラムが、同時に生体情報表示画面２１上に表示される。以下、変形例の説明において、図２に示した例と同一または同様の部分については同一の符号を付し、それらの部分の詳しい説明は省略する。
【００３９】
図３に示すように、生体情報表示画面２１の上２段の表示領域２２ａ、２２ｂには生体情報のトレンドグラフが表示され、下２段の表示領域２３ａ、２３ｂには生体情報のヒストグラムが表示されている。生体情報の種類としてはＨＲ（心拍数）と、ＡＲＴ（Ｓ）（血圧値）と、ＲＥＳＰ（呼吸数）と、ＳｐＯ２（酸素飽和度）の４種類が選択されている。そして、ＨＲのトレンドグラフが表示領域２２ａに表示され、ＡＲＴ（Ｓ）のトレンドグラフが表示領域２２ｂに表示されている。また、ＲＥＳＰのヒストグラムが表示領域２３ａに表示され、ＳｐＯ２のヒストグラムが表示領域２３ｂに表示されている。
【００４０】
生体情報表示画面２１上に表示される生体情報の表示態様（トレンドグラフまたはヒストグラムの表示）は、例えば、生体情報表示画面２１上に表示されたトレンドヒストグラムボタン４５を押すことにより、トレンドグラフまたはヒストグラムに互いに変更することができる。
【００４１】
例えば、図３に示すようにトレンドグラフが示されている表示領域２２ａのＨＲまたは表示領域２２ｂのＡＲＴ（Ｓ）を所定の指定ボタンによって指定した後にトレンドヒストグラムボタン４５を押すことにより、指定した表示領域の表示態様（トレンドグラフ）をヒストグラムの表示に変更することができる。さらに、その変更された態様においてもう一度トレンドヒストグラムボタン４５を押すと、トレンドグラフの表示態様に戻す（変更）することができる。
【００４２】
なお、生体情報表示画面２１上に表示されたその他のボタンを押すことにより設定・変更することができる生体情報の関連内容については図２に示す例の場合と同様である。
【００４３】
図４は、生体情報モニタシステム５０の構成を示す図である。生体情報モニタシステム５０は、ネットワーク５５を介して互いに接続される複数台の生体情報モニタ（ベッドサイドモニタ）５１、５２、５３、５４およびセントラルモニタ５６とから構成される。
【００４４】
セントラルモニタ５６は、ナースステーション等に設置されて、各被検者の生体情報を集中監視することができるモニタである。セントラルモニタ５６には、各ベッドサイドモニタ５１、５２、５３、５４で表示される全ての情報がネットワーク５５を介して送信されてくる。生体情報モニタシステム５０においては、セントラルモニタ５６が上述した生体情報モニタ１として機能する。したがって、セントラルモニタ５６には、上述した生体情報モニタ１と同じ表示態様で生体情報のトレンドグラフとヒストグラムを表示することができる。また、セントラルモニタ５６には、ネットワーク５５に接続されている被検者（ベッドサイドモニタ５１、５２、５３、５４）の中から、医療従事者によって指定された被検者における生体情報のトレンドグラフとヒストグラムを表示することができる。
【００４５】
以上の本実施形態の構成によれば、生体情報のバラツキ（振幅）を表すトレンドグラフと、統計的処理の結果である最頻値を表すヒストグラムとを、生体情報表示画面２１の第１の表示領域２２と第２の表示領域２３に、同時に日毎の長期スパンで複数日分（例えば１週間分）表示したことにより、その生体情報のバラツキと最頻値を同時に見ることができ相互的な判断を行うことができるので、患者の容態変化、すなわち容態が回復に向かっているのか、現状維持なのか、悪化しているのかを迅速かつ容易に確認することができる。
【００４６】
また、同じ生体情報についてトレンドグラフとヒストグラムによって表示することにより、患者の容態変化をより的確に判断することができる。
【００４７】
また、異なる生体情報についてトレンドグラフとヒストグラムによって表示することにより、表示する生体情報に応じて最適な表示態様で表示することができ、患者の容態を的確に判断することができる。
【００４８】
ネットワーク接続されたセントラルモニタ５６に各患者（ベッドサイドモニタ）のトレンドグラフとヒストグラムを同時に日毎の長期スパンで複数日分表示することにより、医療従事者はそれぞれの患者のところまで足を運ばなくても、患者の容態変化を容易に確認することができ集中管理を行うことができる。
【００４９】
以上、本発明を詳細にまた特定の実施態様を参照して説明したが、本発明の精神と範囲を逸脱することなく様々な変更や修正を加えることができることは当業者にとって明らかである。例えば、画面に表示されるトレンドグラフとヒストグラムの一方を共通（ＳｐＯ２）にし、他方、トレンドグラフ（HR）をヒストグラム（RESP）を異なるようにしてもよい。
【符号の説明】
【００５０】
１：生体情報モニタ（ベッドサイドモニタ、セントラルモニタ）、２：生体情報取得手段、１０：制御部、１１：ＣＰＵ、１２：演算処理部、１３：表示制御部、１６：記憶部、２０：表示部、２１：生体情報表示画面、２２：第１の表示領域、２３：第２の表示領域、３０：入力操作部、５０：生体情報モニタシステム、５６：セントラルモニタ
【図１】
2014150845.tif 000003
【図２】
2014150845.tif 000004
【図３】
2014150845.tif 000005
【図４】
2014150845.tif 000006